(57)【要約】【課題】  純水製造装置の設置時の付帯工事を除き、且つ、メンテナンスの負担を軽減する。【解決手段】  純水製造装置１０は、イオン交換樹脂１２及び集水管１４を内部に収容する円筒状ハウジング１１を有し、イオン交換樹脂１２を交換するための上部開口を閉止する上蓋１５には、原水流入口１６及び処理水流出口１７が形成される。処理水流出口１７には、金属配管２１の一端が接続され、金属配管２１の他端は、円筒状ハウジング１１の上方で純水を供給する蛇口を形成している。上蓋１５には、グレーティング形状の容器台２３を内部に収容する排水シンク２２が固定される。【選択図】  図２  
2005052778.tif 000002
【特許請求の範囲】
【請求項１】
内部に濾材及び集水管が配設され、上部に開口を有するハウジングと、
前記濾材に連通する原水流入口と前記集水管に連通する処理水流出口とを有し、前記ハウジングに取り外し可能に固定されて前記開口を閉止する上蓋と、
前記上蓋の上部に該上蓋に支持された容器台と、
一端が前記処理水流出口に連通し他端が前記容器台の上部に開口する金属配管とを備えることを特徴とする水処理装置。
【請求項２】
前記容器台は、前記金属配管から流出する処理水を受ける排水シンクに支持され、該排水シンクは前記上蓋に固定されている、請求項１に記載の水処理装置。
【請求項３】
前記容器台が簀の子状に形成される、請求項２に記載の水処理装置。
【請求項４】
内部に濾材及び集水管が配設され、上部に開口を有するハウジングと、
前記濾材に連通する原水流入口と前記集水管に連通する処理水流出口とを有し、前記ハウジングに取り外し可能に固定されて前記開口を閉止する上蓋と、
前記上蓋の上部に該上蓋に支持された排水シンクと、
一端が前記処理水流出口に連通し他端が前記排水シンクの上部に開口する金属配管とを備えることを特徴とする水処理装置。
【請求項５】
純水製造装置として構成される、請求項１〜４の何れか一に記載の水処理装置。  
【発明の詳細な説明】
【技術分野】
【０００１】
本発明は、水処理装置に関し、特に、水道水等の原水から純水を製造する純水製造装置に適用して好適な水処理装置に関する。
【背景技術】
【０００２】
純水製造装置は、学校の化学実験室や病院等で、少量の純水を簡易に製造する装置として広く利用されている。図３に、従来の純水製造装置の外観を示す。純水製造装置１０Ａは、略円筒形状の容器（筒状ハウジング）１１内にイオン交換樹脂１２を充填する処理室を有しこの処理室内に原水を供給している。処理室内側の円筒状ハウジング１１の中央部分には、イオン交換樹脂１２で処理された処理水を、集水部１３を介して内部に集める集水管１４が配設されている。円筒状ハウジング１１の上部には、周囲に内ねじが形成された開口が設けられ、この開口にねじ接続された蓋（上蓋）１５には、イオン交換樹脂１２に水道水を供給する原水流入口１６と、イオン交換樹脂１２で処理され集水管１４で集められた純水が流出する処理水流出口１７とが形成されている。
【０００３】
上蓋１５の上部には、例えば、処理水の電気伝導率を計測する図示しない電気伝導率計等が配設され、処理水の水質を表示し、或いは、水質の悪化を警報で知らせている。この目的のために上蓋１５の上部には、４本の植え込みボルト１８が配設されている。純水製造装置の継続的な運転の結果、製造された純水の水質悪化が検知されると、円筒状ハウジング１１から上蓋１５を外し、内部のイオン交換樹脂１２を、新たな又は再生したイオン交換樹脂に交換した後に、再び運転を再開する。このような型式の純水製造装置１０Ａは、例えば特許文献１に記載されている。
【０００４】
純水製造装置１０Ａは、一般に手洗いや流し台等のシンクと併設されることが多く、そのような場合には、塩化ビニル製のチューブやゴム製のホースによって、原水流入口１６が水道水の蛇口に接続される。また、処理水流出口１７には、同様に塩化ビニル製のチューブやゴム製のホースの一端が接続され、そのチューブやホースの他端が純水供給用蛇口の代用として使用される。純水を利用する利用者は、ビーカーや広口ビン、ポリ容器等の可搬式容器を利用して純水製造装置から純水を受け取り、純水の利用場所まで運搬する。
【０００５】
【特許文献１】特開平９−２７１７７０
【発明の開示】
【発明が解決しようとする課題】
【０００６】
ところで、純水には塩素成分が含まれておらず、従って、純水には殺菌作用がない。このため、塩化ビニル製のチューブ等を純水供給のために使用すると、チューブ内で雑菌が繁殖しチューブ内面にスライム状の付着物を生成する。このような付着物は、使用する純水の水質を悪化させるので、チューブの頻繁な洗浄を余儀なくさせ、純水製造装置の維持運用の負担を増加させるという問題がある。このような問題を回避するために、処理水流出口に、チューブやホースに代えて金属配管を使用すると、純水製造装置の設置に際して現地での付帯配管工事が発生し、簡易に純水製造装置を設置したいというユーザの希望に反することとなる。また、イオン交換樹脂１２の取り替えに際して、その都度、純水製造装置から金属配管を取り外す必要が生じ、純水製造装置の維持運用に際して別の負担が発生する。
【０００７】
また、純水製造装置では、蛇口から可搬式容器内への純水の注入が完了し、原水の元弁を閉止した後にも、幾らかの純水が蛇口から流出する。このため、流出する純水を受けるために、蛇口の下方に排水用シンクを設置することが望まれる。排水用シンクは、可搬式容器への純水の注入に先だって可搬式容器を純水で洗浄するためにも用いられる。しかし、純水製造装置のために新たに排水用シンクを設置することは、やはり付帯工事となり、純水製造装置を簡易に設置したいユーザの希望に反する。また、これに代えて、既設の排水用シンクに隣接して純水製造装置を設置することは、純水製造装置の設置場所にとって大きな制約となる。
【０００８】
上記従来の純水製造装置の問題は、単に純水製造装置に限らず、イオン交換樹脂等の濾材を用いて原水を処理する水処理装置に共通の問題である。
【０００９】
本発明は、上記に鑑み、純水製造装置に適用が可能であり、雑菌を繁殖させやすい塩化ビニル製のチューブやゴム製のホースに代えて金属配管を処理水の供給用としながらも、現地での配管工事等の付帯工事を伴うことなく簡易に設置が可能であり、且つ、維持運用の負担が軽減できる水処理装置を提供することを目的とする。
【００１０】
更に、本発明は、処理水を供給する蛇口のために排水用シンクを増設する等の、現地での付帯工事を伴うことなく設置が可能であり、また、設置場所に大きな制約も生じない水処理装置を提供することを目的とする。
【課題を解決するための手段】
【００１１】
上記目的を達成するために、本発明の第１の視点に係る水処理装置は、内部に濾材及び集水管が配設され、上部に開口を有するハウジングと、前記濾材に連通する原水流入口と前記集水管に連通する処理水流出口とを有し、前記ハウジングに取り外し可能に固定されて前記開口を閉止する上蓋と、前記上蓋の上部に該上蓋に支持された容器台と、一端が前記処理水流出口に連通し他端が前記容器台の上部に開口する金属配管とを備えることを特徴とする。
【００１２】
本発明の好ましい態様では、前記容器台は、前記金属配管から流出する処理水を受ける排水シンクに支持され、該排水シンクは前記上蓋に固定される。この場合、容器台に隣接して排水シンクが配設されるので、別に排水用シンクを配設する必要がなく、或いは、水処理装置を既設の排水用シンクに隣接して配置する等の制約が除かれる。
【００１３】
更に、排水シンクに支持される容器台が簀の子状（又は、グレーティング形状）に形成されることも本発明の好ましい態様である。この場合、可搬式容器を容器台上に置いた際に、容器の底が水に濡れるおそれが小さくなる。また、可搬式容器の洗浄等に際して、処理水が排水シンクの底面で飛沫となって飛び散るおそれが軽減される。
【００１４】
本発明の第２の視点に係る水処理装置は、内部に濾材及び集水管が配設され、上部に開口を有するハウジングと、前記濾材に連通する原水流入口と前記集水管に連通する処理水流出口とを有し、前記ハウジングに取り外し可能に固定されて前記開口を閉止する上蓋と、前記上蓋の上部に該上蓋に支持された排水シンクと、一端が前記処理水流出口に連通し他端が前記排水シンクの上部に開口する金属配管とを備えることを特徴とする。
【発明の効果】
【００１５】
本発明の第１の視点に係る水処理装置によると、処理水の流出口に金属配管を使用することで、配管内部での雑菌の繁殖が抑えられるため、処理水の流出口に接続される配管の頻繁な洗浄の必要が除かれる。また、ハウジングの開口を閉止する上蓋に容器台を支持し、その上蓋の処理水流出口に一端が接続された金属配管の他端を容器台の上部に配設したので、イオン交換樹脂等の濾材の取り替えに際しても、上蓋から金属配管を取り外す必要がない。このため、純水製造装置の維持運用の負担が軽減する。
【００１６】
本発明の第２の視点に係る水処理装置によると、処理水の蛇口を成す金属配管の他端の下方に排水シンクを配設する構成により、水処理装置の設置に際して排水用シンクを設置するための付帯工事が発生せず、或いは、水処理装置を既設の排水用シンクに隣接して配設する制約が除かれるので、水処理装置の簡易な設置が可能である。
【発明を実施するための最良の形態】
【００１７】
以下、図面を参照し、本発明の好適な実施形態例に基づいて本発明を更に詳細に説明する。なお、全図において、同様な要素は同じ符号で示す。図１を参照すると、本発明の一実施形態例に係る水処理装置を成す純水製造装置１０の要部が斜視図で示される。純水製造装置１０は、従来の純水製造装置１０Ａの処理水流出口１７に、短い金属配管２１の一端を接続し、その金属配管２１の蛇口に相当する他端の下方に、排水シンク２２及び容器台２３を配設し、排水シンク２２を上蓋１５に固定したものである。
【００１８】
排水シンク２２には、その勾配を有する底面の最も低い底部に、排水チューブ接続のための排水用ボス２４が接続されている。金属配管２１は、上蓋１５の処理水流出口１７に水平方向に接続される一端と、この一端からＬ字状に折り曲げられ上方に立ち上がる直線状の中間部分と、この中間部分からＵ字状に下方に折り曲げられて蛇口を形成する他端とを有している。このように、金属配管２１は、その下端が処理水流出口１７に固定され、また、その中間部分がサドル２５で排水シンク２２に固定されることで、円筒状ハウジング１１に支持される。原水流入口１６は、塩化ビニル製のチューブ２６を介して、図示しない水道栓に接続されている。
【００１９】
一例を挙げると、円筒状ハウジング１１は、直径が約２０ｃｍ、高さが９５ｃｍ程度であり、下部には、転倒を防止する直径が３０ｃｍ程度の円板３０（図３）が付属している。円筒状ハウジング１１の内部には、２０リッター程度のイオン交換樹脂１２が収容される。上蓋１５の直径は、円筒状ハウジング１１の直径とほぼ同程度であり、その上に配置される容器台２３の上面の高さは、１０５ｃｍ程度であり、純水製造装置１０の利用者が立って作業をするのに適している。
【００２０】
図２は、図１の純水製造装置の要部をその断面で示す。純水製造装置１０は、円筒状ハウジング１１内にイオン交換樹脂１２を充填した処理室を有し、この処理室に原水を供給する。円筒状ハウジング１１の処理室内側の中央部分には、イオン交換樹脂１２で処理された処理水を内部に集める集水管１４が配設される。円筒状ハウジング１１の上部には、周囲に内ねじが形成された開口１９が設けられ、上蓋１５は、この開口１９にねじ込まれる外ねじ付きのボスを有する。上蓋１５には、更に、イオン交換樹脂１２に水道水を供給する原水流入口１６と、イオン交換樹脂１２で処理され集水管１４で集められた純水が流出する処理水流出口１７とが形成されている。
【００２１】
上蓋１５のボスが、開口１９にねじ込まれると、上蓋１５に形成された原水流入口１６は、イオン交換樹脂１２が収容された処理室に連通し、また、上蓋１５に形成された処理水流出口１７は、集水管１４に連通する。集水管１４の内部と、イオン交換樹脂１２が収容された処理室とは、集水管１４と上蓋１５との接続部分に配設されたＯリング２０によって相互に区画される。塩化ビニル製のチューブ２６は、樹脂製のコネクタ２７を介して原水流入口１６に接続され、純水供給用の金属配管２１は、金属製のコネクタ２８を介して処理水流出口１７に接続される。
【００２２】
排水シンク２２は、傾斜した底面と、この底面の周囲から上方に立ち上がる側壁とから成り、傾斜した底面の最も低い底部に排水用ボス２４が形成されている。排水用ボス２４は、例えば塩化ビニル製のチューブを介して床の排水栓に差し込まれる。排水シンク２２は、その下部に一対のＬ字状のブラケット２９を有し、このブラケット２９が上蓋１５に植設された４本のボルト１８に固定されることで、上蓋１５に固定される。
【００２３】
排水シンク２２には、簀の子状（グレーティング形状）の容器台２３が内部に収容されており、容器台２３は、多数の帯板２３ａが垂直方向を向いて互いに格子状に組み合わされて形成されている。容器台２３の上部は、底部がフラットな可搬式容器を載置するのに適した平坦度を有する。また、容器台２３の平面形状は、排水シンク２２の側壁の形状に合わせて形成されており、容器台２３は、単に容器台２３を上部から排水シンク２２内に落下させることにより、排水シンク２２の側壁に実質的に位置決めされる。このような構造により、容器台２３は、その上に載置した可搬式容器を安定に静止させる台としての役目と、排水シンク２２の上に純水が落下しても飛沫となって飛散しないように排水シンク２２を補助する役目とを有する。利用者は、原水の供給弁である水道栓を開くことで純水を蛇口から流出させ、この流出する純水を利用して可搬式容器を容器台２３上で洗浄した後に、可搬式容器内に純水を注いで、これを利用場所に運搬する。
【００２４】
図示しない電気伝導率計は、円筒状ハウジング１１の適当な位置に配設される。電気伝導率計は、電気伝導率によって純水の水質を計測し、純水の水質が悪化すると、その旨の警報を発生する。警報が発生すると、まず、原水供給弁である水道栓が閉止され、塩化ビニル製のチューブ２６が原水流入口１６から外され、排水用チューブが排水シンク２２の排水用ボス２４から外される。
【００２５】
次いで、上蓋１５が、排水シンク２２及び金属配管２１と共に、反時計方向に回転され、上蓋１５と開口１９とのねじ結合が緩められ、上蓋１５が円筒状ハウジング１１から外される。この際に、排水シンク２２は、上蓋１５を回転させるためのハンドルとして利用できる。内部のイオン交換樹脂１２を、新たな又は再生したイオン交換樹脂と交換した後に、再び、上蓋１５、排水シンク２２及び金属配管２１を円筒状ハウジング１１に取り付け、先に外したチューブを接続して、運転を再開する。
【００２６】
本実施形態例では、純水の流出口に金属配管を使用することで、配管内の雑菌の繁殖を抑え、配管の洗浄頻度を低く抑える。また、イオン交換樹脂の交換に際しても、金属配管の取り外し等の工事の必要がなく、メンテナンスの際の作業性が向上する。
【００２７】
以上、本発明をその好適な実施形態例に基づいて説明したが、本発明の水処理装置は、上記実施形態例の構成にのみ限定されるものではなく、上記実施形態例の構成から種々の修正及び変更を施したものも、本発明の範囲に含まれる。例えば、ハウジングは、円筒状に限らず、種々の断面を有する筒状或いはその他の形状のものが採用できる。また、本発明の水処理装置は、実施形態例で示した純水製造装置に限らず、イオン交換樹脂等の濾材を用いて水を処理する種々の水処理装置に適用できる。
【図面の簡単な説明】
【００２８】
【図１】本発明の一実施形態例に係る水処理装置を成す純水製造装置の要部の斜視図。
【図２】図１に示した純水製造装置の要部の断面図。
【図３】従来の純水製造装置の斜視図。
【符号の説明】
【００２９】
１０、１０Ａ：純水製造装置
１１：円筒状ハウジング
１２：イオン交換樹脂
１３：集水部
１４：集水管
１５：上蓋
１６：原水流入口
１７：処理水流出口
１８：ボルト
１９：開口
２０：Ｏリング
２１：金属配管
２２：排水シンク
２３：容器台
２３ａ：帯板
２４：排水用ボス
２５：サドル
２６：原水供給用チューブ
２７：コネクタ
２８：コネクタ
２９：ブラケット
３０：転倒防止プレート  
【図１】
2005052778.tif 000003
【図２】
2005052778.tif 000004
【図３】
2005052778.tif 000005
【手続補正書】
【提出日】平成16年7月12日(2004.7.12)
【手続補正１】
【補正対象書類名】特許請求の範囲
【補正対象項目名】全文
【補正方法】変更
【補正の内容】
【特許請求の範囲】
【請求項１】
内部に濾材及び集水管が配設され、上部に開口を有するハウジングと、
前記濾材に連通する原水流入口と前記集水管に連通する処理水流出口とを有し、前記ハウジングに取り外し可能に固定されて前記開口を閉止する上蓋と、
前記上蓋の上部に配置され該上蓋に支持された容器台と、
一端が前記処理水流出口に連通し他端が前記容器台の上部に開口する金属配管とを備えることを特徴とする水処理装置。
【請求項２】
前記容器台は、前記金属配管から流出する処理水を受ける排水シンクに支持され、該排水シンクは前記上蓋に固定されている、請求項１に記載の水処理装置。
【請求項３】
前記容器台が簀の子状に形成される、請求項２に記載の水処理装置。
【請求項４】
内部に濾材及び集水管が配設され、上部に開口を有するハウジングと、
前記濾材に連通する原水流入口と前記集水管に連通する処理水流出口とを有し、前記ハウジングに取り外し可能に固定されて前記開口を閉止する上蓋と、
前記上蓋の上部に配置され該上蓋に支持された排水シンクと、
一端が前記処理水流出口に連通し他端が前記排水シンクの上部に開口する金属配管とを備えることを特徴とする水処理装置。
【請求項５】
純水製造装置として構成される、請求項１〜４の何れか一に記載の水処理装置。
【手続補正２】
【補正対象書類名】明細書
【補正対象項目名】００１１
【補正方法】変更
【補正の内容】
【００１１】
上記目的を達成するために、本発明の第１の視点に係る水処理装置は、内部に濾材及び集水管が配設され、上部に開口を有するハウジングと、前記濾材に連通する原水流入口と前記集水管に連通する処理水流出口とを有し、前記ハウジングに取り外し可能に固定されて前記開口を閉止する上蓋と、前記上蓋の上部に配置され該上蓋に支持された容器台と、一端が前記処理水流出口に連通し他端が前記容器台の上部に開口する金属配管とを備えることを特徴とする。
【手続補正３】
【補正対象書類名】明細書
【補正対象項目名】００１４
【補正方法】変更
【補正の内容】
【００１４】
本発明の第２の視点に係る水処理装置は、内部に濾材及び集水管が配設され、上部に開口を有するハウジングと、前記濾材に連通する原水流入口と前記集水管に連通する処理水流出口とを有し、前記ハウジングに取り外し可能に固定されて前記開口を閉止する上蓋と、前記上蓋の上部に配置され該上蓋に支持された排水シンクと、一端が前記処理水流出口に連通し他端が前記排水シンクの上部に開口する金属配管とを備えることを特徴とする。
【手続補正４】
【補正対象書類名】明細書
【補正対象項目名】００１９
【補正方法】変更
【補正の内容】
【００１９】
一例を挙げると、円筒状ハウジング１１は、直径が約２０ｃｍ、高さが９５ｃｍ程度であり、下部には、転倒を防止する直径が３０ｃｍ程度の円板３０（図３）が付属している。円筒状ハウジング１１の内部には、２０リットル程度のイオン交換樹脂１２が収容される。上蓋１５の直径は、円筒状ハウジング１１の直径とほぼ同程度であり、その上に配置される容器台２３の上面の高さは、１０５ｃｍ程度であり、純水製造装置１０の利用者が立って作業をするのに適している。